(57)【要約】      （修正有）【課題】集電子が導体の被摺動面から脱線し難く、それ故、絶縁トロリの取り付け装置等を破損させることのない絶縁トロリを提供する。【解決手段】導体１上に被せられた絶縁カバー４の一対の脚部５、５間に導体１の一部を集電子２の被摺動面３として露出させた絶縁トロリにおいて、絶縁カバー４の一対の脚部５、５は外方に向かって、脚部５、５の成す角度が９０度〜１２０度になるように扇形に開く開脚部からなる脱線防止カバー８、８を有する。【選択図】図１
2008168896.tif 000002
【特許請求の範囲】
【請求項１】
導体上に被せられた絶縁カバーの一対の脚部間に前記導体の一部を集電子の被摺動面として露出させた絶縁トロリにおいて、前記絶縁カバーの一対の脚部は外方に向かって、前記脚部の成す角度が９０度〜１２０度になるように扇形に開く開脚部からなる脱線防止カバーを有していることを特徴とする絶縁トロリ。
【発明の詳細な説明】
【技術分野】
【０００１】
本発明は、集電子が脱線し難いように工夫された絶縁トロリに関するものである。
【背景技術】
【０００２】
従来から、例えば天井走行クレーンやホイスト等の移動機械への電力供給用として絶縁トロリが用いられている。
この絶縁トロリの一般的なものとして特許文献１に記載された形状のものがある。
これは図６が示すように、導体１の一部を集電子２が摺動する被摺動面３として露出させた状態で導体１に絶縁カバー４を被せたもので、この被摺動面３を摺動する集電子２が脱線しないように、前記絶縁カバー４には被摺動面３の両側に位置する部分に一対の脚部５、５が設けられている。
【０００３】
【特許文献１】実開平２−６３２３８号公報
【発明の開示】
【発明が解決しようとする課題】
【０００４】
ところで図６が示す従来の絶縁トロリの場合、被摺動面３の両側に集電子２の脱線防止用に、一対の脚部５、５があるにも関わらず、例えばこの絶縁トロリに対して集電子２を介して給電されながら移動するクレーン等の移動体装置自体の振動や、この移動体の走行中の不測の揺れによって、集電子２が絶縁トロリの被摺動面３から脚部５を乗り越えて脱線することがある。
あるいはまた、周囲の温度変化等の環境変化によって、絶縁トロリ自身が伸びたりして蛇行し、その結果、集電子２が絶縁トロリの被摺動面３から外れ、一対の脚部５、５を乗り越えて脱線することもある。
【０００５】
このように集電子２が脱線すると、集電子２は所定圧力で被摺動面３に押さえ付けられながら移動しているため、脱線した集電子２は導体１側に跳び上がった状態で走行することになる。その結果、この走行する集電子２が絶縁トロリを天井等に支持しているハンガー等の絶縁トロリ取り付け装置、あるいはこの絶縁トロリ取り付け装置に隣接して他の設備があった場合には、これらにも衝突し、これら装置や他設備を破損させることもある。
【０００６】
そこで本発明の目的は、集電子が導体の被摺動面から脱線し難く、それ故、絶縁トロリの取り付け装置等を破損させることのない絶縁トロリを提供することにある。
【課題を解決するための手段】
【０００７】
前記目的を達成すべく請求項１記載の絶縁トロリは、導体上に被せられた絶縁カバーの一対の脚部間に前記導体の一部を集電子の被摺動面として露出させた絶縁トロリにおいて、前記絶縁カバーの一対の脚部は外方に向かって、前記脚部の成す角度が９０度〜１２０度になるように扇形に開く開脚部からなる脱線防止カバーを有していることを特徴とするものである。
【０００８】
このようにしてなる請求項１記載の絶縁トロリによれば、絶縁カバーの一対の脚部には外方に向かって、前記脚部の成す角度が９０度〜１２０度になるように扇形に開く開脚部からなる脱線防止カバーが設けられているので、被摺動面から外れた集電子は前記脱線防止カバーに案内されて元の位置、すなわち被摺動面に戻される。それ故、集電子が導体の被摺動面から脱線し続けることはなくなる。しかも仮に一時的に脱線したとしても、脱線防止カバーにより導体側上方へ跳ね上がることはなくなるから、絶縁トロリの取り付け装置類に衝突して、これらを破損させる恐れもなくなる。
【発明の効果】
【０００９】
以上のように本発明によれば、集電子が導体の被摺動面から脱線し難く、それ故、絶縁トロリの取り付け装置類を破損させることのない絶縁トロリを提供することができる。
【発明を実施するための最良の形態】
【００１０】
以下に本発明の絶縁トロリを図を用いて詳細に説明する。尚、前述した図６と同じものには同じ符号を付し、詳細な説明は省略する。
【００１１】
図１は本発明の絶縁トロリの一実施例を示す横断面図、図２は、図１において、集電子が導体の被摺動面から脱線しかけた状態を示す横断面図である。
図１が示すように、本発明の絶縁トロリは、導体１に、この導体１の被摺動面３を露出させた状態で絶縁カバー４を被せたもので、この絶縁トロリの特徴、より具体的には絶縁カバー４の特徴は、被摺動面３の両側に位置する一対の脚部５、５は、基端部の、脚部が互いに並行な基端脚部７、７の先端方向に、外方に向かって扇形に開く開脚部からなる脱線防止カバー８、８を有している点にある。
【００１２】
尚、扇形の開脚部からなる脱線防止カバー８、８の部分の角度θは、９０度〜１２０度の範囲が最適である。
このように脚部５、５において、その基端部の互いに並行な基端脚部７、７の先に脱線防止カバー８、８を設けておくと、仮に図２が示すように何らかの理由で集電子２が導体１の被摺動面３から外れても、扇形をした一対の脱線防止カバー８、８により集電子２の上方への跳ね上がりを防止でき、脱線防止カバー８、８の内側斜面に沿って集電子２を元の位置、すなわち被摺動面３へと容易に復帰させることができる。
【００１３】
ところで絶縁カバー４の脚部５、５の基端部の互いに並行な一対の基端脚部７、７の長さは、この絶縁トロリが使用される使用環境に応じて適宜選択すればよい。すなわち、集電子２の脱線防止は一義的にはこの基端脚部７、７で行うため、振動の激しい場所で使用される絶縁トロリにあっては少し長めに基端脚部７、７を設定すればよい。
【００１４】
図３、図４は本発明の絶縁トロリの別の実施例を示す横断面図である。各々導体１の形状に応じて絶縁カバー４の断面形状が選択される。
但し、いずれの形状のものにあっても絶縁カバー４の脚部５、５は、その基端脚部７、７の先に外方に向って扇形に開く開脚部、すなわち脱線防止カバー８、８を有していて、集電子２の被摺動面３からの脱線を防止できるようになっている。
【００１５】
図５は本発明の絶縁トロリの、応用例を示す横断面図である。
図５が示す絶縁トロリの特徴は、絶縁カバー４の一対の脚部５、５は、その内側に集電子２が被摺動面３から外れた場合に係止可能な凹部９を各々有していて、この凹部９の底には、脱線してこの凹部９に係止された集電子２を検知するために、検知線１０が、導体の一部を露出した状態で埋設されている点にある。
【００１６】
このように脚部５、５の内側に凹部９を設け、その部分に検知線１０を導体を露出した状態で埋め込んでおけば、仮に集電子２が被摺動面３から外れた場合でも、外れた集電子２がこの凹部９に係止されるから、集電子２と検知線１０の導体が接触すれば、両者間に電気的導通が生じ、これを常時検知できる状態にしておけば、集電子２が被摺動面３から脱線したことを常時監視することができる。
【００１７】
尚、上記実施例においては、脚部５、５の内側に設けた凹部９に導体を露出した状態で検知線１０を埋め込んで検知手段としたが、検知手段はこれに限定されるものではなく、例えば導体を露出した２本の導体を並行に配置しておき、この２本の導体を被摺動面３から外れた集電子２で短絡させ、集電子２の脱線を検知する検知手段もある。もちろんこれ以外の検知手段であってもよいことはいうまでもない。
【００１８】
以上述べたように、本発明によれば、集電子が導体の被摺動面から脱線し難く、それ故、絶縁トロリの取り付け装置類を破損させることのない絶縁トロリを提供することができる。
【図面の簡単な説明】
【００１９】
【図１】本発明の絶縁トロリの一実施例を示す横断面図である。
【図２】図１が示す絶縁トロリにおいて集電子が脱線しそうになった状態を示す横断面図である。
【図３】本発明の絶縁トロリの別の実施例を示す横断面図である。
【図４】本発明の絶縁トロリの別の実施例を示す横断面図である。
【図５】本発明の絶縁トロリの応用例を示す横断面図である。
【図６】従来の絶縁トロリの一例を示す横断面図である。
【符号の説明】
【００２０】
１  導体
２  集電子
３  被摺動面
４  絶縁カバー
５  脚部
７  基端脚部
８  脱線防止カバー
９  凹部
１０  検知線
【図１】
2008168896.tif 000003
【図２】
2008168896.tif 000004
【図３】
2008168896.tif 000005
【図４】
2008168896.tif 000006
【図５】
2008168896.tif 000007
【図６】
2008168896.tif 000008